(57)【要約】【課題】密封工程が一工程で、開閉が容易であり、高度の密封性が得られる軟質樹脂による螺合方式密封機構を提供する。【解決手段】軟質樹脂からなる容器本体の口頸部200 にキャップ100 が螺着する容器にあって、キャップは、硬質樹脂からなるキャップ本体110 と軟質樹脂からなる中栓120 とからなり、中栓は、下面に容器本体の口頸部を密封するインナーリング121 を垂設し、キャップ本体は、中栓を天板111 下面下に周壁内周面上方に設ける係止リング115 により挿着し、天板下面の中栓のインナーリング上の位置に、断面形状が逆三角形状のコンタクトリング112 を設け、容器本体の口頸部は、インナーリングの外周面が内周面に密接する上方の口部210 と、外周面にキャップ本体の雌ネジに螺合する雄ネジ221 を設ける下方の頸部220 とからなり、かつ頸部の肉厚T を口部の肉厚t よりも厚くする。【選択図】図１
2005193942.tif 000002
【特許請求の範囲】
【請求項１】
軟質樹脂からなる容器本体の口頸部にキャップが螺着する容器であって、前記キャップは、硬質樹脂からなるキャップ本体と軟質樹脂からなる中栓とからなり、前記中栓は、下面に前記容器本体の口頸部を密封するためのインナーリングを垂設し、前記キャップ本体は、前記中栓を天板下面下に周壁内周面上方に設ける係止リングにより係止して挿着し、前記天板下面の前記中栓のインナーリング上の位置に、断面形状が逆三角形状のコンタクトリングを設け、前記容器本体の口頸部は、前記インナーリングの外周面が内周面に密接する上方の口部と、外周面に前記キャップ本体の雌ネジに螺合する雄ネジを設ける下方の頸部とからなり、かつ前記頸部の肉厚を前記口部の肉厚よりも厚くしたことを特徴とする軟質樹脂による螺合方式密封機構。
【請求項２】
前記軟質樹脂の曲げ弾性率が、３００ＭＰａ未満で、前記硬質樹脂の曲げ弾性率が、７００ＭＰａ以上であることを特徴とする請求項１記載の軟質樹脂による螺合方式密封機構。
【発明の詳細な説明】
【技術分野】
【０００１】
本発明は、軟質樹脂からなる容器本体に、医療医薬、検査液、液体食品などの高度の密封性を必要とする内容物を収納するときの軟質樹脂による螺合方式密封機構に関するものである。
【背景技術】
【０００２】
従来、軟質樹脂による密封機構としては、例えば図２に示すように、下面に軟質樹脂からなる中栓（３１１）を垂設した打栓蓋（３１０）を容器本体の口頸部（３２０）に打栓し、口頸部の外周面に係止リング（３２１）を設けてアルミ包装（３３０）したものがある。また、図３に示すように、軟質樹脂からなる打栓蓋（４１０）下面に垂設するインナーリング（４１１）の外周面上方に咬合凸リング（４１２）を設け、この咬合凸リングが咬合する環状咬合凹溝（４２１）を容器本体の口頸部（４２０）の内周面に設けたものがある。また、図４に示す液体用紙容器用口栓（５００）の場合には、軟質樹脂からなるスパウト（５２０）（注出口具）に軟質樹脂からなるキャップ（５１０）を螺着するものであるが、螺着時にキャップとスパウト間に捩じれによる歪みを発生することがあり、高い密封性が安定して得られないため、スパウトの注出筒（５２１）の内側下方に封鎖板（５２２）を設け、この封鎖板の開封予定位置に環状薄肉脆弱線（５２３）を設け、この環状薄肉脆弱線の内側近傍位置に先端にプルリング（５２５）をもつ支柱（５２４）を立設したものがある。このスパウトは、開封するときにプルリングを引っ張って封鎖板の環状薄肉脆弱線を破断して開封するものであった。
【発明の開示】
【発明が解決しようとする課題】
【０００３】
しかしながら、図２の打栓蓋は、この打栓蓋の抜け止めのために、別工程のアルミ包装を必要とし、図３の打栓蓋は、容器本体の口頸部に咬合により嵌着するため、蓋の開け閉めが固く、使用しにくいことがあった。また、図４の液体用紙容器用口栓は、構造が複雑となりコスト高となった。
【０００４】
本発明は、上述の従来の軟質樹脂による密封機構における問題点を解決したものであり、密封工程が一工程で、開け閉めが容易であり、構造が比較的に簡単で、高度の密封性が得られる軟質樹脂による螺合方式密封機構を提供するものである。
【課題を解決するための手段】
【０００５】
すなわち、本発明の第１の発明は、軟質樹脂からなる容器本体の口頸部にキャップが螺着する容器であって、前記キャップは、硬質樹脂からなるキャップ本体と軟質樹脂からなる中栓とからなり、前記中栓は、下面に前記容器本体の口頸部を密封するためのインナーリングを垂設し、前記キャップ本体は、前記中栓を天板下面下に周壁内周面上方に設ける係止リングにより係止して挿着し、前記天板下面の前記中栓のインナーリング上の位置に、断面形状が逆三角形状のコンタクトリングを設け、前記容器本体の口頸部は、前記インナーリングの外周面が内周面に密接する上方の口部と、外周面に前記キャップ本体の雌ネジに螺合する雄ネジを設ける下方の頸部とからなり、かつ前記頸部の肉厚を前記口部の肉厚よりも厚くしたことを特徴とする軟質樹脂による螺合方式密封機構である。
【０００６】
そして、本発明の第２の発明は、前記軟質樹脂の曲げ弾性率が、３００ＭＰａ未満で、前記硬質樹脂の曲げ弾性率が、７００ＭＰａ以上であることを特徴とする第１の発明に記載の軟質樹脂による螺合方式密封機構である。
【発明の効果】
【０００７】
本発明の軟質樹脂による螺合方式密封機構は、図１に示すように、軟質樹脂の容器本体の口頸部（２００）に、硬質樹脂のキャップ本体（１１０）の天板（１１１）下面下に軟質樹脂の中栓（１２０）を挿着したキャップ（１００）を螺合により装着するものであり、容器本体にキャップを螺着するときに、キャップ本体の天板下面に設けられているコンタクトリング（１１２）の先端で、中栓（１２０）のインナーリング（１２１）上を中栓上面を押圧しながらキャップと中栓を回転させて、キャップの中栓を容器本体の口頸部の口部（２１０）の内周面に押し込むため、容器本体の口部とキャップの中栓間に捩じれによる歪みが発生しにくく、この結果、高度の密封性が得られるものである。また、構造も比較的に簡単である。
【０００８】
また、本発明の軟質樹脂による螺合方式密封機構は、図１に示すように、軟質樹脂の容器本体の口頸部（２００）の外周面に設けられている雄ネジ（２２１）に、硬質樹脂のキャップ本体（１１０）の内周面に設けられている雌ネジ（１１４）を螺合させて装着するものであり、装着したのちに、キャップを容器本体に固定させるアルミ包装のような固定工程は必要とせず密封工程が一工程で済む。
【０００９】
また、本発明の軟質樹脂による螺合方式密封機構は、容器本体の口頸部にキャップを螺合させて装着したものであり、容器の開封は、キャップの回転による開け閉めで容易に行うことができる。
【発明を実施するための最良の形態】
【００１０】
次に、本発明の軟質樹脂による螺合方式密封機構の一実施形態について、図を用いて詳細に説明する。
【００１１】
図１は、一実施形態の軟質樹脂による螺合方式密封機構の要部を示す部分断面図である。
【００１２】
本実施形態の軟質樹脂による螺合方式密封機構は、図１に示すように、軟質樹脂の容器本体の口頸部（２００）に、硬質樹脂のキャップ本体（１１０）の天板（１１１）下面下に軟質樹脂の中栓（１２０）を挿着したキャップ（１００）を螺合により装着するものである。容器本体は、曲げ弾性率が３００ＭＰａ未満の低密度ポリエチレンなどの軟質の熱可塑性樹脂を用いて、ブロー成形法や射出成形法により作製するものである。キャップは、曲げ弾性率が７００ＭＰａ以上のポリプロピレンなどの硬質の熱可塑性樹脂を用いて、射出成形法により作製するものである。中栓は、曲げ弾性率が３００＊＊＊未満の低密度ポリエチレンや熱可塑性エラストマーなどの軟質の熱可塑性樹脂を用いて、射出成形法により作製するものである。
【００１３】
そして、図１に示すように、中栓（１２０）の構造は、下面に容器本体の口頸部（２００）を密封するためのインナーリング（１２１）（外周面を口頸部の内周面に密接）を垂設し、キャップ本体（１１０）の構造は、天板（１１１）と周壁（１１３）とからなり、周壁内周面上方に中栓（１２０）を天板下面下に挿着するための係止リング（１１５）を設け、天板下面の中栓のインナーリング上の位置に、断面形状が逆三角形状のコンタクトリング（１１２）（下方先端を中栓の上面に密接押圧）を設けるものである。
【００１４】
容器本体の口頸部（２００）は、図１に示すように、キャップ（１００）の中栓（１２０）のインナーリング（１２１）の外周面が内周面に密接する上方の口部（２１０）と、外周面にキャップ本体（１１０）の雌ネジ（１１４）に螺合する雄ネジ（２２１）を設ける下方の頸部（２２０）とからなるものである。そして、頸部の肉厚（Ｔ）を口部の肉厚（ｔ）よりも厚くするものである。頸部を厚肉にするのは、口頸部にキャップを螺着する
ときに、雄ネジを外周面に形成する頸部が、キャップの螺着にともなう捩じれによる歪みを発生しにくくするためである。なお、容器本体の口頸部の口部及び頸部、またインナーリングの厚みは、使用する材質、使用目的に応じて商品設計するものである。
【図面の簡単な説明】
【００１５】
【図１】本発明の一実施形態の軟質樹脂による螺合方式密封機構の要部を示す部分断面図である。
【図２】従来の一例の軟質樹脂による密封機構の要部を示す部分断面図である。
【図３】従来の他の一例の軟質樹脂による密封機構の要部を示す部分断面図である。
【図４】従来の他の一例の軟質樹脂による液体用紙容器用口栓の密封機構の断面図である。
【符号の説明】
【００１６】
１００，５１０……キャップ
１１０……キャップ本体
１１１……天板
１１２……コンタクトリング
１１３……周壁
１１４……雌ネジ
１１５……係止リング
１２０……中栓
１２１，４１１……インナーリング
２００……口頸部
２１０……口部
２２０……頸部
２２１……雄ネジ
３１０，４１０……打栓蓋
３１１……中栓
３２０，４２０……口頸部
３２１……係着リング
３３０……アルミ包装
４１２……咬合凸リング
４２１……環状咬合凹溝
５００……液体用紙容器用口栓
５２０……スパウト
５２１……注出筒
５２２……封鎖板
５２３……環状薄肉脆弱線
５２４……支柱
５２５……プルリング
Ｔ，ｔ……肉厚
【図１】
2005193942.tif 000003
【図２】
2005193942.tif 000004
【図３】
2005193942.tif 000005
【図４】
2005193942.tif 000006